(57)【要約】【課題】突起部を有する難接着性部材の容器に管を接合する方法において、特に、熱溶着や超音波接合等による大掛かりな設備や多くの手間を必要とせず、容易に、且つ確実に突起部に管を接合することのできる管の接合方法および接合容器を提供する。【解決手段】管７を、突起部２を有する容器の該突起部２に接合する方法であって、前記容器が管７に対して難接着性を示す難接着材料からなる接合方法である。突起部２の側面に形成された凹溝４に、管７に対して粘着剤を介して接着性を有する接着性部材５を装着し、次いで、接着性部材５の表面に前記粘着剤を塗布した後、前記管７に突起部２を挿入する。【選択図】図１
2009172248.tif 000002
【特許請求の範囲】
【請求項１】
管を、突起部を有する容器の該突起部に接合する方法であって、前記容器が前記管に対して難接着性を示す難接着材料からなる接合方法において、
前記突起部の側面に形成された凹溝に、前記管に対して粘着剤を介して接着性を有する接着性部材を装着し、次いで、前記接着性部材の表面に前記粘着剤を塗布した後、前記管に前記突起部を挿入することを特徴とする管の接合方法。
【請求項２】
前記接着性部材が、ニトリルゴム、スチレンブタジエンゴム、ブタジエンゴム、シリコーンゴムおよび軟質ポリ塩化ビニルから選ばれる素材で形成された筒状体である請求項１記載の管の接合方法。
【請求項３】
管を、突起部を有する容器の該突起部に接合する方法であって、前記容器が前記管に対して難接着性を示す難接着材料からなる接合方法において、
前記突起部の側面に形成された凹溝に、該凹溝に、粘着剤を充填した後、前記管に前記突起部を挿入することを特徴とする管の接合方法。
【請求項４】
請求項１〜３のうちいずれか一項記載の接合方法に用いられる容器であって、医療に使われる点滴筒または定量筒であることを特徴とする接合容器。
【発明の詳細な説明】
【技術分野】
【０００１】
本発明は、管の接合方法および接合容器に関し、詳しくは、突起部を有する難接着性材料からなる容器に管を接合する方法において、特に、熱溶着等の方法を用いることなく、容易に、且つ確実に容器の突起部に管を接合することのできる管の接合方法および接合容器に関する。
【背景技術】
【０００２】
通常、ポリエチレンやポリプロピレン等は通常の接着剤による接着が難しい難接着材料である。かかる難接着性部材にて突起部を有する容器を形成し、突起部にシリコーンチューブ等の管を接合する場合、熱溶着や超音波接合等の方法により突起部と管とを接合していた。
【０００３】
難接着性部材からなる容器の突起部にシリコーンチューブを接合して使用する一例として、医療現場で使用される点滴器具が知られている。図６に示す一般的な点滴器具２０は、血液、栄養液、電解質液等の薬剤を収容するバッグまたはボトルからなる容器２１と、容器２１の下部に接続された輸液チューブ２２と、輸液チューブ２２の先端に接続された点滴筒１０と、点滴筒１０の底部に接続された輸液チューブ２３と、輸液チューブ２３間に装着された、薬剤の流量を調節するクランプ２４と、輸液チューブ２３の先端に備えられた注射針２５とで構成されている。また、図示する一般的な点滴筒１０は、点滴筒１０の突起部１１と輸液チューブ２３とが、熱溶着や超音波接合、また圧入接合にて接合されている。
【０００４】
なお、かかる点滴具として、点滴筒内への適正な貯留量を示す手段を有し、点滴筒内に前記の適性貯留量を迅速に流入させることのできる点滴筒が報告されている（特許文献１参照）。この特許文献1記載の点滴筒は、液体の滴出する入口と液体の出口とを有する透明な筒体からなり、筒体の所定の位置に点滴筒内の適性貯留量を示す表示手段を形成したことを特徴とする。
【特許文献１】特開２０００−１４７４５号公報
【発明の開示】
【発明が解決しようとする課題】
【０００５】
難接着材料からなる容器、特に従来の点滴筒の突起部に管を接合するには、一般に熱溶着や超音波接合が用いられるが、大掛かりな設備や多くの手間を要するため、コストや作業面で問題があった。また、管の圧入方法や熱収縮チューブを用いる方法もあるが、この場合、接合強度の面から管が抜け落ちるおそれがあり、実用上問題があった。
【０００６】
そこで本発明の目的は、突起部を有する難接着性部材の容器に管を接合する方法において、特に、熱溶着や超音波接合等による大掛かりな設備や多くの手間を必要とせず、容易に、且つ確実に突起部に管を接合することのできる管の接合方法および接合容器を提供することにある。
【課題を解決するための手段】
【０００７】
上記課題を解決するために、本発明の管の接合方法は、管を、突起部を有する容器の該突起部に接合する方法であって、前記容器が前記管に対して難接着性を示す難接着材料からなる接合方法において、
前記突起部の側面に形成された凹溝に、前記管に対して粘着剤を介して接着性を有する接着性部材を装着し、次いで、前記接着性部材の表面に前記粘着剤を塗布した後、前記管に前記突起部を挿入することを特徴とするものである。
【０００８】
前記接着性部材は、好ましくはニトリルゴム、スチレンブタジエンゴム、ブタジエンゴム、シリコーンゴムおよび軟質ポリ塩化ビニルから選ばれる素材で形成された筒状体である。
【０００９】
また、本発明の他の管の接合方法は、管を、突起部を有する容器の該突起部に接合する方法であって、前記容器が前記管に対して難接着性を示す難接着材料からなる接合方法において、
前記突起部の側面に形成された凹溝に、粘着剤を充填した後、前記管を前記突起部に挿入することを特徴とするものである。
【００１０】
さらに、本発明は、本発明の前記接合方法に用いられる容器であって、医療に使われる点滴筒または定量筒であることを特徴とする接合容器に関する。
【発明の効果】
【００１１】
本発明によれば、熱溶着や超音波接合等による大掛かりな設備や多くの手間を必要とせず容易に、且つ確実に管を突起部に接合することができる。よって、本発明の接合容器は、安全性および容易性に優れた医療用の点滴筒または定量筒である。
【発明を実施するための最良の形態】
【００１２】
以下、本発明における管の接合方法および接合容器の実施の形態を図面に基づいて説明する。先ず、本発明の管の接合方法に使用する接合容器と管を図１および図２に基づき説明する。
【００１３】
接合容器１は、ポリエチレン、ポリプロピレン等の難接着性部材で形成されており、その内部には液体や気体が収容される。また接合容器１の少なくとも１箇所には、入排出孔３が穿孔された突起部２が形成されている。
【００１４】
また、特に、突起部２の側面には凹溝４が形成されている。この凹溝４に、接着性部材５を装着する。かかる接着性部材５は、好適には、ニトリルゴム、スチレンブタジエンゴム、ブタジエンゴム、シリコーンゴムまたは軟質塩化ビニル等の素材で形成された弾性を有する筒状体である。
【００１５】
管７は、突起部２の周囲に密着できる径を有しており、弾性または柔軟性を有する市販のシリコーンチューブ等を挙げることができる。
【００１６】
次に、管７を突起部２に接合する一例を図１に基づいて説明する。
先ず、突起部２の側面の凹溝４に接着性部材５を装着する。この状態で、接着性部材５は凹溝４に弾性装着されるので、容易に抜け落ちることがない。
【００１７】
接着性部材５を装着した後、接着性部材５の表面に粘着剤６を塗布する。この際に使用する粘着剤は、特に限定されるものではなく、汎用の接着剤を好適に用いることができる。
【００１８】
粘着剤６を塗布した後、管７に突起部２を挿入する。この際、接着性部材５は凹溝４に装着され、また管７は粘着剤６を介して接着性部材５に接着されるので、管７は難接着性部材で形成された突起部２に強靭に接合される。
【００１９】
次に、図２に基づいて、本発明の他の方法による管７と突起部２の接合方法を説明する。図２においては、突起部２の周囲に凹溝４を形成し、かかる凹溝４に粘着剤６を充填して管７を突起部２に接合する方法を示す。粘着剤６は特に限定されるものではなく、前記と同様に汎用の粘着剤に用いることができる。粘着剤６を凹溝４内に充填することにより、粘着剤６を凹溝４内に留めることができる。この状態で、管７に突起部２を挿入することで、凹溝４内に留まった粘着剤６により管７を突起部２に強固に接合することができる。
【００２０】
また、本発明の接合方法は、図３に示す、医療現場で使用される点滴器具の点滴筒１０に用いることが好ましい。点滴筒１０の下部には突起部１１が設けられており、突起部１１を輸液チューブ２３（管）に挿入する。
【００２１】
突起部１１の周囲に凹溝１２を形成し、図４に示すように、凹溝１２に接着性部材１３を装着する。装着後、接着性部材５の表面に粘着剤１４を塗布し、輸液チューブ２３に突起部１１を挿入する。この際、接着性部材１３は凹溝１２に装着され、また輸液チューブ２３は粘着剤１４を介して接着性部材１３に接着される。これにより、輸液チューブ２３は難接着性部材で形成された点滴筒１０の突起部１１に強固に接合することができる。
【００２２】
また、点滴筒１０においては、凹溝１２に粘着剤１４を直接塗布（充填）した後、輸液チューブ２３に突起部１１を挿入しても、同様に強固な接合を行うことができる。
【００２３】
上述の接合方法を用いることで、医療現場で使用される点滴筒に輸液チューブ２３を接合する際、従来の熱溶着や超音波接合、また圧入接合等の接合方法を用いる必要がない。これにより、大掛かりな設備や多くの手間を必要とせず容易に、且つ確実に突起部に管を接合することができる。
【００２４】
なお、本発明の方法は、点滴筒１０の他、図５に示す医療用で使用されている定量筒３０にも利用できる。図示する定量筒３０においては、定量筒本体３１と突起部３２とが連結されてなる構造を有する。このような構造においては、連結部３４から液体が漏れるおそれが生じるため、連結部３４に漏れ防止用のＯリング３３を装着することが望ましい。
【図面の簡単な説明】
【００２５】
【図１】本発明の管の好適接合方法を示す断面図である。
【図２】本発明の他の好適接合方法を示す断面図である。
【図３】点滴筒の接合方法を示す分解状態の断面図である。
【図４】輸液チューブを接合した状態の断面図である。
【図５】定量筒の断面図である。
【図６】一般的な点滴用具の全体図である。
【符号の説明】
【００２６】
１    接合容器
２    突起部
３    入排出孔
４    凹溝
５    接着性部材
６    粘着剤
７    管
１０  点滴筒
１１  突起部
１２  凹溝
１３  接着部材
１４  粘着剤
２０  点滴用具
２１  容器
２２  輸液チューブ
２３  輸液チューブ
２４  クランプ２４
２５  注射針
３０  定量筒
３１  定量筒本体
３２  突起部
３３  Ｏリング
３４  連結部
【図１】
2009172248.tif 000003
【図２】
2009172248.tif 000004
【図３】
2009172248.tif 000005
【図４】
2009172248.tif 000006
【図５】
2009172248.tif 000007
【図６】
2009172248.tif 000008